(57)【要約】【課題】  金属製芯材による不快な刺激感のないブラシ部材の提供及びブラシ部材のみの取り替え交換が可能な歯間歯ブラシの提供。【解決手段】  樹脂塗膜層を形成せしめた金属製芯材に、刷毛部を植設した歯間歯ブラシ用ブラシ部材；前記歯ブラシ部材を着脱自在に柄部に取り付けた歯間歯ブラシ。【選択図】  図１
0003113407.tif 000002
【実用新案登録請求の範囲】
【請求項１】
樹脂塗膜層を形成せしめた金属製芯材に、刷毛部を植設したことを特徴とする歯間歯ブラシ用ブラシ部材。
【請求項２】
樹脂塗膜層が、ポリウレタン系塗料又はポリアミド系塗料によって形成されていることを特徴とする請求項１記載のブラシ部材。
【請求項３】
金属製芯材が、ステンレス製芯材であることを特徴とする請求項１又は２記載のブラシ部材。
【請求項４】
刷毛部が、銀イオン発生材から成ることを特徴とする請求項１〜３の何れか１項記載のブラシ部材。
【請求項５】
請求項１〜４の何れか１項記載のブラシ部材を、柄部に着脱自在に取り付けたことを特徴とする歯間歯ブラシ。
【請求項６】
ブラシ部材が、金属製芯材の一方の端部側方向における植毛部と、他方の端部側方向における非植毛部とを有することを特徴とする請求項５記載の歯間歯ブラシ。
【請求項７】
柄部が、金属製芯材の非植毛部が挿通する貫通孔を備えていると共に、当該貫通孔から突出した非植毛部を折曲しつつ柄部に固定する回転自在の挾持部を備えていることを特徴とする請求項６記載の歯間歯ブラシ。
【請求項８】
柄部が、挾持部により折曲された非植毛部を収容する溝部を備えていることを特徴とする請求項７記載の歯間歯ブラシ。
【請求項９】
挾持部が、柄部と嵌合する半筒状のカバー体から成ることを特徴とする請求項７又は８記載の歯間歯ブラシ。
【考案の詳細な説明】
【技術分野】
【０００１】
本考案は、歯間歯ブラシ用ブラシ部材及び当該ブラシ部材を用いた歯間歯ブラシに関する。
【背景技術】
【０００２】
従来、歯間歯ブラシは、金属製芯材そのものに刷毛部を植設して構成されていたため、使用中に当該芯材の金属と歯が直接接触して不快な刺激感を与えてしまうと云う問題があり、特にこの刺激感は歯周病患者に顕著であった。
【０００３】
また、従来の歯間歯ブラシは、ブラシ部材が柄部に固設されていたため、ブラシ部材のみが折損した場合等においても当該ブラシ部材のみを取り替え交換することができず、再使用可能な柄部を含め、歯間歯ブラシ全体を廃棄しなければならないのが実状であった。
【考案の開示】
【考案が解決しようとする課題】
【０００４】
本考案は上記の如き従来の問題と実状に鑑みてなされたもので、金属製芯材による不快な刺激感のないブラシ部材を提供すること、及びブラシ部材のみを取り替え交換することができる歯間歯ブラシを提供することを課題とする。
【課題を解決するための手段】
【０００５】
本考案歯間歯ブラシ用ブラシ部材は、上記課題を解決するために、樹脂塗膜層を形成せしめた金属製芯材に、刷毛部を植設したことを特徴とする。
【０００６】
また、本考案歯間歯ブラシは、上記課題を解決するために、ブラシ部材を柄部に着脱自在に取り付けたことを特徴とする。
【考案の効果】
【０００７】
本考案ブラシ部材は、金属製芯材に樹脂塗膜層が形成されているため、当該芯材の金属と歯が直接接触することがない結果、従来の如き不快な刺激感を未然に防止することができる。
【０００８】
また、本考案歯間歯ブラシは、ブラシ部材が柄部に着脱自在に取り付けられているため、ブラシ部材折損時等に当該ブラシ部材のみを取り替え交換し得るので、柄部の再使用が可能となる。
【考案を実施するための最良の形態】
【０００９】
以下本考案の実施の形態を図面と共に説明する。
【００１０】
図１は本考案で用いる金属製芯材の拡大断面説明図であり、図２は本考案ブラシ部材の概略正面説明図である。
【００１１】
図１及び図２において、１０は金属製芯材で、その外表面部に樹脂塗膜層１１が形成されている。
金属製芯材の素材は、人体に悪影響を与えないものであれば特に限定されないが、例えばステンレス製芯材が好適なものとして挙げられる。
また、樹脂塗膜層１１を形成する塗料の種類も人体に悪影響を与えないものであれば特に限定されないが、例えばポリウレタン系塗料やポリアミド系塗料が好適に使用される。
【００１２】
この金属製芯材１０には、刷毛部２０が植設されてブラシ部材Ａが構成されている。
刷毛部２０の植設方法は特に限定されないが、例えば１本の金属製芯材１０を中央部で二つ折りし、刷毛部２０を当該折曲した芯材間に挾持しつつ捩じり巻く方法が簡便である。
【００１３】
刷毛部２０は、金属製芯材１０の全長にわたり植設しても良いが、図２に示すように、金属製芯材１０の一方の端部側方向においてのみ刷毛部２０を植設して植毛部１０ａとし、他方の端部側方向においては植設することなく非植毛部１０ｂとするのが、後述するようにブラシ部材Ａを柄部３０に着脱自在に取り付ける上で有利である。尚、この場合金属製芯材において、植毛部１０ａと非植毛部１０ｂが占める長さの具体的な割合は、柄部３０の厚みやブラシ部材の取り付け部位の構造に対応せしめて適宜決定される。
【００１４】
刷毛部２０の材質は、人体に悪影響を与えないものであれば特に限定されないが、例えば銀イオン発生材で構成すれば、銀イオンによる殺菌作用や口臭防止効果が得られ、より望ましい。
【００１５】
図３は本考案ブラシ部材の柄部への取り付け方法を示す概略正面説明図であり、図４は本考案歯間歯ブラシの要部拡大断面説明図である。
【００１６】
図３及び図４において、３０は柄部で、その端部にブラシ部材Ａが着脱自在に取り付けられて歯間歯ブラシＢが構成されている。
【００１７】
柄部３０には、金属製芯材１０の非植毛部１０ｂが挿通する貫通孔３１が形設されていると共に、当該貫通孔３１から突出した非植毛部１０ｂを折曲しつつ柄部３０に押圧固定する挾持部３２が回転自在に枢着されている。この挾持部３２の具体的形態としては、単なる平板体であっても良いが、柄部３０と嵌合する半筒状のカバー体が固定能に優れ、望ましい。
【００１８】
３１ａはノズル状の小筒部で、貫通孔３１と連通するように柄部３０の上面側壁部に付設されており、この小筒部３１ａを利用することにより、金属製芯材１０の非植毛部１０ｂの挿入操作をより容易に行ない得るようになっていると共に、植毛部１０ａの突出状態をより確実に保持し得るようになっている。
【００１９】
３１ｂは非植毛部収容溝部で、柄部３０の下面側壁部に形設されており、挾持部３２により折曲された非植毛部１０ｂを収容することにより、確実に当該非植毛部１０ｂを保持固定し得るようになっている。
【００２０】
次に、斯かる実施の態様におけるブラシ部材Ａの柄部３０への取り付け方法を説明する。
【００２１】
まず、挾持部３２と柄部３０との嵌合を離脱せしめた状態で、小筒部３１ａの開口部から金属製芯材１０の非植毛部１０ｂを挿入し、図３（１）に示すように、該非植毛部１０ｂを柄部３０の貫通孔３１を経て柄部３０の下面側に突出せしめる。
【００２２】
次いで、挾持部３２を柄部３０側に回転させ、柄部３０と嵌合せしめれば、図４に示すように、当該非植毛部１０ｂがＬ字状に折曲状態で挾持されるので、ブラシ部材Ａが柄部３０に固定され、図３（２）に示すような歯間歯ブラシＢとなり、使用に供される。
【００２３】
他方、挾持部３２を反対方向に回転させ、柄部３０との嵌合状態を離脱せしめれば、折曲していた非植毛部１０ｂを直線状に戻すだけでブラシ部材Ａを容易に柄部３０から引き抜くことができるので、ブラシ部材Ａの取り替え交換を容易に行なうことができる。
【図面の簡単な説明】
【００２４】
【図１】本考案で用いる金属製芯材の拡大断面説明図。
【図２】本考案ブラシ部材の概略正面説明図。
【図３】本考案ブラシ部材の柄部への取り付け方法を示す概略正面説明図。
【図４】本考案歯間歯ブラシの要部拡大断面説明図。
【符号の説明】
【００２５】
Ａ：ブラシ部材
Ｂ：歯間歯ブラシ
１０：金属製芯材
１０ａ：植毛部
１０ｂ：非植毛部
１１：樹脂塗膜層
２０：刷毛部
３０：柄部
３１：貫通孔
３１ａ：小筒部
３１ｂ：非植毛部収容溝部
３２：挾持部
【図１】
0003113407.tif 000003
【図２】
0003113407.tif 000004
【図３】
0003113407.tif 000005
【図４】
0003113407.tif 000006